(57)【特許請求の範囲】
【請求項１】
薬剤送達装置であって、
−  ハウジング（１０）と、マルチチャンバ薬剤容器（１８）を収容する薬剤容器ホルダ（１２）とを備えた本体を備え、前記ハウジング（１０）および前記薬剤容器ホルダ（１２）は、相互作用するよう互いに接続され、互いに相対的に移動可能であり、薬剤容器ホルダは、送達部材（１６）を取付けるための取付け手段（１４）を含み、前記薬剤送達装置はさらに、
−  本体に相互作用するように接続されて、ハウジング内の薬剤容器ホルダを駆動し、これにより調製を達成するための混合ガード機構を含み、
−  前記混合ガード機構は、薬剤容器ホルダ（１２）に動作可能に接続された混合シリンダユニット（５０）および管状の薬剤送達部材ガード（４６）を含み、これにより、混合シリンダユニットを動作させたとき、送達部材（１６）の取付けを可能にするために前記取付け手段（１４）が前記薬剤送達部材ガード（４６）の近位端から突出る予混合位置と、前記取付け手段（１４）および前記取付けられた送達部材（１６）が薬剤送達部材ガード（４６）内に位置する混合位置との間で、薬剤容器ホルダ（１２）を薬剤送達部材ガード（４６）に対して移動させるようにし、
前記混合ガード機構はさらに、前記薬剤送達部材ガードと前記薬剤容器ホルダ（１２）とに動作可能に接続されたガードロックおよび解放部材（１２，５１）を含み、これにより、前記ガードロックおよび解放部材は、容器ホルダが予混合位置にあるときに前記薬剤送達部材ガードをロックし、かつ、容器ホルダが混合位置へと動かされたときに前記薬剤送達部材ガードを解放するよう構成される、薬剤送達装置。
【請求項２】
ガード部材を遠位方向に移動させることにより、装置が投与送達部位に押当てられたときに、前記混合シリンダユニットに含まれる回転子部材を回転させる、請求項１に記載の薬剤送達装置。
【請求項３】
前記回転は前記回転子部材によってもたらされ、前記回転子部材は少なくとも１つの溝（８２）を含み、前記少なくとも１つの溝（８２）は、装置の長手方向に対して傾斜しており、遠位側への前記薬剤送達部材ガード（４６）の移動中に、前記薬剤送達部材ガード上に配置された少なくとも
１つの突起と協働する、請求項２に記載の薬剤送達装置。
【請求項４】
前記混合ガード機構はさらに、前記薬剤送達部材ガード（４６）に対して動作可能に配置されて前記薬剤送達部材ガードを近位方向に推し進めるための弾力性のある部材（５６）を含む、請求項１から３のいずれかに記載の薬剤送達装置。
【請求項５】
回転子部材は第１のガードロック手段を含み、前記第１のガードロック手段は回転子部材に相互作用するように接続され、これにより、前記薬剤送達部材ガード（４６）を近位側に移動させることによって、薬剤送達部位から取外した後、前記薬剤送達部材をカバーする近位位置で前記薬剤送達部材ガードがロックされるようにする、請求項２から４のいずれかに記載の薬剤送達装置。
【請求項６】
前記混合ガード機構は、前記薬剤容器ホルダ（１２）を前記ハウジング（１０）内でずらすことを可能にするために前記ハウジングと前記薬剤容器ホルダとを相互作用するように接続する第１の接続手段（３８，４０）を含む、請求項１から５のいずれかに記載の薬剤送達装置。
【請求項７】
前記第１の接続手段は、前記ハウジングおよび前記薬剤容器ホルダに対して協働するねじ山（３８，４０）を含む、請求項６に記載の薬剤送達装置。
【請求項８】
前記第１のガードロック手段は、前記回転子部材に対して配置され近位側に向けられた少なくとも１つの弾性性のある舌状部（７８）と、前記薬剤送達部材ガード（４６）に対して配置された少なくとも１つの突起（８４）とを備え、これにより、前記薬剤送達部材ガードが近位側にずらされたとき、前記少なくとも１つの突起（８４）が前記少なくとも１つの舌状部（７８）を通り過ぎ、これにより、後に前記薬剤送達部材ガード（４６）が遠位側にずれるのを防ぐようにする、請求項５に記載の薬剤送達装置。
【請求項９】
前記薬剤容器ホルダおよび前記薬剤送達部材ガード（４６）は、第２の接続手段（４２，４４，４６）によって互いに摺動可能に接続されるが、但し回転方向にロックされる、請求項１に記載の薬剤送達装置。
【請求項１０】
前記混合シリンダユニット（５０）は、前記混合シリンダユニット（５０）および前記薬剤送達部材ガード（４６）が第３の接続手段（４６，５０，５２，５４）によって互いに摺動可能に接続されるが但し回転方向にロックされるように、前記薬剤送達部材ガード（４６）に対して配置される、請求項１に記載の薬剤送達装置。
【請求項１１】
前記混合シリンダユニット（５０）およびコネクタスリーブ（５８）は、第４の接続手段（５７）によって互いに固定して接続される、請求項１０に記載の薬剤送達装置。
【請求項１２】
前記コネクタスリーブ（５８）および前記ハウジングは、互いに相対的に長手方向に移動するのを防ぐが互いに相対的に回転することを可能にする第５の接続手段（５８，６４，６６）によって、互いに接続される、請求項１１に記載の薬剤送達装置。
【請求項１３】
前記回転子部材（６８）および前記コネクタスリーブ（５８）は、互いに相対的に長手方向に移動するのを防ぐが互いに相対的に部分的に回転することを可能にする第６の接続手段によって、互いに接続され、前記コネクタスリーブ（５８）および前記回転子部材（６８）は、前記混合シリンダユニット（５０）内で同軸に配置される、請求項１２に記載の薬剤送達装置。
【請求項１４】
前記回転子部材（６８）および前記混合シリンダユニット（５０）は、第７の接続手段（７２，７４，７６）によって、一方向に回転可能に互いに接続される、請求項１３に記載の薬剤送達装置。
【請求項１５】
前記ハウジング内に配置され、前記マルチチャンバ薬剤容器（１８）内に位置決めされたストッパ（２０）を駆動するよう適合された駆動手段（２８，３０）をさらに含む、請求項１から１４のいずれかに記載の薬剤送達装置。
【請求項１６】
前記駆動手段は、プランジャロッド（２８）と、前記プランジャロッドに動作可能に作用してこのプランジャロッドを近位方向に推し進めるための力部材（３０）を含む、請求項１５に記載の薬剤送達装置。
【請求項１７】
予め張力がかけられた状態で前記駆動手段を保持するための保持手段（３２，３４）をさらに含む、請求項１５または１６に記載の薬剤送達装置。
【請求項１８】
予め張力がかけられた状態から駆動手段を解放するために前記保持手段（３２，３４）に作用することのできる起動手段（３６）をさらに含む、請求項１７に記載の薬剤送達装置。
【請求項１９】
前記装置は注射装置である、請求項１から１８のいずれかに記載の薬剤送達装置。
【発明の詳細な説明】
【技術分野】
【０００１】
技術分野
本発明は、薬剤送達装置に関し、特に、患者への薬剤送達前に薬剤の混合を必要とするマルチチャンバ薬剤容器を用いた薬剤送達装置に関する。
【背景技術】
【０００２】
発明の背景
注射器などの薬剤送達装置においてマルチチャンバ薬剤容器を用いることがますます一般的になってきている。この理由として、何らかの液体中に溶解した薬剤と比べて、はるかに長期間にわたって薬剤を劣化させることなく貯蔵できる点が挙げられる。
【０００３】
このように、薬剤および液体は薬剤容器内で別々の区画内に保存されており、これらの区画を互いに連通させることができるように隔離壁またはストッパを移動させることによって、薬剤および液体が使用の直前に混合される。
【０００４】
しかしながら、マルチチャンバ薬剤容器は、１投与分の薬剤を注入することができるようになるまでに、より多くの処理ステップを必要とする。なぜなら、混合を開始するために、注射器のプランジャロッドによって薬剤容器のストッパを移動させなければならないからである。
【０００５】
多くの薬剤送達装置および特に注射器の別の特徴として、薬剤送達部材、特に注射針、の薬剤容器への取付けと、さらに、不用意に針が突刺さるのを如何にして回避するかとが挙げられる。文献ＷＯ２０１０／０００５５９は、マルチチャンバ薬剤容器を用いた薬剤送達装置を開示する。ここでは、近位側のハウジング部分に位置する薬剤容器ホルダを遠位側のハウジング部分内へと回転させ、これにより、薬剤容器のストッパをプランジャロッドに逆らって移動させることによって混合が行われる。初期位置においては、薬剤容器の近位端は近位側のハウジング部分を越えて突出しており、この場合、近位側のハウジング部分は、薬剤送達装置を薬剤容器ホルダに取付けることができるように針シールドとしても機能する。混合が行われると、薬剤送達部材は近位側のハウジング／針シールドに引込まれる。針シールドは、ここでは、装置を作動させるために用いられる。針入が実行されると、針シールドが遠位方向に押込まれ、これにより、自動注入シーケンスが開始される。こうして、針シールド組立品は装置のほぼ遠位端にまで延びて、注入を開始できるようにする。
【発明の概要】
【発明が解決しようとする課題】
【０００６】
しかしながら、いくつかの装置の場合、さほど多くの構成要素および機能を備えることが必要ではないかまたは所望されないことがある。というのも、多くの構成要素および機能を備えることにより、装置がより複雑で高価なものになってしまう傾向があるからである。また、混合中に、装置の遠位端ではなく装置のやや近位端付近で一方の手だけで装置が保持される可能性がある。したがって、薬剤送達装置には開発の余地がある。
【０００７】
発明の簡単な説明
本発明の目的は、マルチチャンバ薬剤容器を単純かつ直観的に、但し安全な方法で扱うことを可能にする薬剤送達装置を提供することである。
【課題を解決するための手段】
【０００８】
本発明の主な局面に従うと、特許請求の範囲の独立項の特徴に従った薬剤送達装置を特徴とする。この発明の好ましい実施例は、特許請求の範囲の従属項の主題を形成する。
【０００９】
本発明の主な局面に従うと、ハウジングと、マルチチャンバ薬剤容器を収容する薬剤容器ホルダとを備えた本体を含む薬剤送達装置を特徴とする。上記ハウジングおよび上記薬剤容器ホルダは、相互作用するように互いに接続され、互いに相対的に移動可能である。薬剤容器ホルダは、送達部材を取付けるための取付け手段を含む。薬剤送達装置はさらに、本体に相互作用するように接続されて、ハウジング内の薬剤容器ホルダを駆動し、これにより調製を達成するための混合ガード機構を備える。混合ガード機構は、薬剤容器ホルダに動作可能に接続された混合シリンダユニットおよび管状の薬剤送達部材ガードを含む。これにより、混合シリンダユニットを動作させたとき、送達部材の取付けを可能にするために上記取付け手段が上記薬剤送達部材ガードの近位端から突出る予混合位置と、上記取付け手段および上記取付けられた送達部材が薬剤送達部材ガード内に位置する混合位置との間で、薬剤容器ホルダを薬剤送達部材ガードに対して移動させるようにする。上記混合ガード機構はさらに、上記ガードと上記薬剤容器ホルダとに動作可能に接続されたガードロックおよび解放部材を含み、これにより、上記ガードロックおよび解放部材は、容器ホルダが予混合位置にあるときに上記ガードをロックし、かつ、容器ホルダが混合位置へと動かされたときに上記ガードを解放するよう構成される。
【００１０】
本発明の別の局面に従うと、ガード部材を遠位方向に移動させることにより、装置が投与送達部位に押当てられたときに、上記混合シリンダユニットに含まれる回転子部材を回転させる。
【００１１】
本発明のさらなる局面に従うと、上記回転は上記回転子部材によってもたらされる。上記回転子部材は少なくとも１つの溝を含み、この少なくとも１つの溝が、装置の長手方向に対して傾斜しており、遠位側への上記ガードの移動中に、ガード上に配置された少なくとも１つの突起と協働する。
【００１２】
本発明のさらに別の局面に従うと、上記混合ガード機構はさらに、上記ガードに対して動作可能に配置されて上記ガードを近位方向に推し進めるための弾力性のある部材を含む。
【００１３】
本発明のさらなる局面に従うと、回転子部材は第１のガードロック手段を含む。第１のガードロック手段は回転子部材に相互作用するように接続され、これにより、上記ガードを近位側に移動させることによって、薬剤送達部位から取外した後、上記薬剤送達部材をカバーする近位位置で上記ガードがロックされるようにする。
【００１４】
本発明の別の局面に従うと、上記混合ガード機構は、薬剤容器ホルダをハウジング内でずらすことを可能にするために上記ハウジングと上記薬剤容器ホルダとを相互作用するように接続する第１の接続手段を含む。
【００１５】
本発明のさらなる局面に従うと、上記第１の接続手段は、上記ハウジングおよび上記薬剤容器ホルダに対して協働するねじ山を含む。
【００１６】
本発明のさらに別の局面に従うと、上記第１のガードロック手段は、上記回転子部材に対して配置され近位側に向けられた少なくとも１つの弾性性のある舌状部と、上記ガードに対して配置された少なくとも１つの突起とを備える。これにより、上記ガードが近位側にずらされたとき、上記少なくとも１つの突起が上記少なくとも１つの舌状部を通過し、これにより、後に上記ガードが遠位側にずれるのを防ぐようにする。
【００１７】
本発明のさらなる局面に従うと、上記薬剤容器ホルダおよび上記ガードは、第２の接続手段によって互いに摺動可能に接続されるが、但し回転方向にロックされる。
【００１８】
本発明の別の局面に従うと、上記混合シリンダは、上記混合シリンダおよび上記ガードが第３の接続手段によって互いに摺動可能に接続されるが但し回転方向にロックされるように、上記ガードに対して配置される。
【００１９】
本発明のさらなる局面に従うと、上記混合シリンダおよびコネクタスリーブは、第４の接続手段によって互いに固定して接続される。
【００２０】
本発明のさらに別の局面に従うと、上記コネクタスリーブおよび上記ハウジングは、互いに相対的に長手方向に移動するのを防ぐが互いに相対的に回転することを可能にする第５の接続手段によって、互いに接続される。
【００２１】
本発明のさらなる局面に従うと、上記回転子部材および上記コネクタスリーブは、互いに相対的に長手方向に移動するのを防ぐが互いに相対的に部分的に回転することを可能にする第６の接続手段によって、互いに接続される。上記コネクタスリーブおよび上記回転子部材は、上記混合シリンダ内で同軸に配置される。
【００２２】
本発明のさらなる局面に従うと、上記回転子部材および上記混合シリンダは、第７の接続手段によって、一方向に回転可能に互いに接続される。
【００２３】
本発明の別の局面に従うと、上記ハウジング内に配置され、上記マルチチャンバ容器内に位置決めされたストッパを駆動するよう適合された駆動手段をさらに含む。
【００２４】
本発明のさらに別の局面に従うと、上記駆動手段は、プランジャロッドと、上記プランジャロッドに動作可能に作用してこのプランジャロッドを近位方向に推し進めるための力部材を含む。
【００２５】
本発明のさらなる局面に従うと、予め張力がかけられた状態で上記駆動手段を保持するための保持手段をさらに含む。
【００２６】
本発明のさらなる局面に従うと、予め張力がかけられた状態から駆動手段を解放するために上記保持手段に作用することのできる起動手段を含む。
【００２７】
本発明の別の局面に従うと、装置は注射装置である。
【発明の効果】
【００２８】
本発明にはいくつかの利点がある。薬剤容器ホルダおよび混合手段に動作可能に接続された管状の薬剤送達部材ガードを用いることにより、装置に薬剤送達部材を取付けることが可能となり、混合動作中に、管状のガード部材を起動させることによって薬剤送達部材がカバーされる。回転子部材を用いることにより、わずかな構成要素だけで装置のいくつかの機能が得られ、機能の相互作用がもたらされる。
【００２９】
さらに、混合ガード機構により、装置が投与送達部位に押当てられたときに、管状のガードを遠位方向に押込むことが可能となる。投与送達完了後に装置を投与送達部位から取外すとき、管状のガードを上記のように移動させることにより、混合ガード機構の構成要素を移動させ、これにより、管状のガード部材をロックする準備が整う。管状のガードは、ばね力によって近位方向に押込まれ、これにより、ロックされた状態で薬剤送達部材を囲む。これにより、薬剤送達部材に対する不正な操作変更を防止することができる。
【００３０】
本発明のこれらおよび他の局面ならびにその利点は、本発明の以下の詳細な説明および添付の図面から明らかになるだろう。
【００３１】
図面の簡単な説明
本発明の以下の詳細な説明において、添付の図面を参照する。
【図面の簡単な説明】
【００３２】
【図１】本発明に従った薬剤送達装置の斜視図である。
【図２】図１の装置の斜視断面図である。
【図３】図１の装置の分解図である。
【図４】薬剤送達部材ガードおよび近位側のハウジング部分を示す詳細な分解図である。
【図５】本発明の主要な構成要素を示す詳細な分解図である。
【図６】図４を１８０°回転させた図である。
【図７】図１の装置の近位部分を示す詳細な断面図である。
【図８】本発明に含まれる構成要素を示す詳細図である。
【図９】さまざまな機能状態を部分的に詳細に示す斜視断面図である。
【図１０】さまざまな機能状態を部分的に詳細に示す斜視断面図である。
【図１１】さまざまな機能状態を部分的に詳細に示す斜視断面図である。
【図１２】さまざまな機能状態を部分的に詳細に示す斜視断面図である。
【図１３】さまざまな機能状態を部分的に詳細に示す斜視断面図である。
【発明を実施するための形態】
【００３３】
発明の詳細な説明
本願においては、「遠位部分／端部（distal part/end）」という語が用いられる場合、これは、薬剤送達部位から最も遠くに離れた位置にある送達装置の部分／端部またはその部材の部分／端部を指す。これに対応して、「近位部分／端部（proximal part/end）」という語が用いられる場合、これは、薬剤送達部位に最も近接した位置にある送達装置の部分／端部またはその部材の部分／端部を指す。
【００３４】
図に示される薬剤送達装置は本体を含む。本体は、概して細長いハウジング１０と、概して管状の薬剤容器ホルダ１２とを含む（図３）。薬剤容器ホルダの近位端は首部分１４を含み、この首部分１４上には、薬剤送達部材１６が取外し可能に取付けられてもよい。薬剤容器ホルダの内部はマルチチャンバ薬剤容器１８を収容するよう構成される。マルチチャンバ薬剤容器１８は、薬剤容器ホルダ１２の首部分１４に収まる近位端を有する。薬剤容器１８の内部にいくつかの可動ストッパ２０、２２を含む。これらストッパ２０、２２は、粉末状の薬剤および希釈剤を含有するいくつかのチャンバ２４および２６を形成する。
【００３５】
さらに、駆動機構がハウジングに配置される。駆動機構は細長いプランジャロッド２８を備える。この細長いプランジャロッド２８の近位端が、薬剤容器１２の遠位端においてストッパ２０に接触する。プランジャロッド２８は、駆動機構の駆動力部材３０に動作可能に接続され、この駆動力部材３０がプランジャロッド２８に動作可能に作用して、このプランジャロッド２８を近位方向に推し進める。装置はさらに、予め張力がかけられた状態で駆動力部材３０を保持することのできる保持部材３２と、予め張力がかけられた状態から駆動力部材３０を解放するために上記保持部材３２に作用することのできる作動部材３４とを備える（図２）。作動部材３４は、ハウジングの遠位端を通って延在する作動ボタン３６を含む。
【００３６】
装置はさらに、マルチチャンバ薬剤容器のチャンバの内容物を混合するために配置された混合ガード機構を含む。これにより、ハウジング１０および薬剤容器１２は、第１の接続手段によって互いに相互作用するよう接続されて、薬剤容器ホルダがハウジング内でずれることを可能にする。第１の接続手段は、薬剤容器ホルダ１２の外面上にねじ山３８を含み、このねじ山３８は、ハウジング１０の内面上にある対応するねじ山４０（図２）と協働する。混合手段はさらに、薬剤容器ホルダ１２の外面上に長手方向に延在する溝４２（図３）を含む。この溝４２は、概して管状の薬剤送達部材ガード４６の内面上にある対応するリブ４４（図５）と協働して、第２の接続手段を形成する。さらに、ガード部材ロックおよび解放部材が配置される。この場合、薬剤容器ホルダ１２のその近位端における外面には、対向した位置にあり外側に向けられた２つの突起４９（図４）が配置される。これらの突起４９は、薬剤送達部材ガード４６に配置された長手のスリットまたは溝４８に収まるよう配置される。薬剤送達部材ガード４６には、その近位端における開口部の回りに円周レッジ４７がさらに配置される。レッジは、首部分１４を囲む薬剤容器ホルダの近位端面５１に当接するよう配置され、これにより、薬剤送達部材ガード４６の移動を防止する。
【００３７】
さらに、薬剤送達部材ガード４６は、概して管状の混合シリンダ５０の内部に摺動可能に配置されるが、薬剤送達部材ガード４６の外面上にある長手方向の溝５２により回転方向にロックされる。この長手方向の溝５２は、混合シリンダ５０の近位端上にあり内側に突出るレッジ５４と協働して（図６）、第３の接続手段を形成する。薬剤送達部材ガード４６は、薬剤送達部材ガード４６の遠位端面とハウジング１０の近位端面との間に作用するばね部材５６（図７）によって混合シリンダ５０に対して近位方向に推し進められる。
【００３８】
さらに、混合シリンダ５０は、ハウジング１０の近位端がこの混合シリンダ５０に収まるように第４の接続手段によってコネクタスリーブ５８を介してハウジング１０の近位端に回転可能に取付けられ、混合シリンダ５０の内面上の溝５９に収まるコネクタスリーブ５８の外面上のリブ５７によって回転方向にロックされる（図５および図６）。コネクタスリーブ５８は、混合シリンダ５０の内面上の凹部６２に収まり外方向に可撓性のある舌状部６０によって混合シリンダに取付けられる（図５および図６）。コネクタスリーブ５８にはさらに、円周方向内側に延在するレッジ６４が配置され、このレッジ６４が、ハウジング１０の近位端の外面の円周レッジ６６に接触して、第５の接続手段を形成する。
【００３９】
さらに、概して筒状の回転子６８は、上記混合シリンダ５０内でその近位端において回転可能に配置され、第６の接続手段でコネクタスリーブ５８によって適所に保持される。回転子６８の近位端面には、円周に沿って延在する可撓性のある舌状部７０が配置される。これら舌状部７０は、近位側に向けられたくさび形のレッジ７２（図８）を備える。レッジ７２は、混合シリンダ５０の円周レッジ７６のうち遠位側に向けられた面上にあるくさび形のラチェット７４と協働して、回転子６８が混合シリンダ５０に対して一方向にしか回転できないようにして、第７の接続手段を形成する。
【００４０】
回転子６８には、近位側に向けられ内側に曲がる舌状部７８がさらに配置される。これら舌状部７８は、近位側に向けられた端面７９を有する(図８）。これら舌状部７８は、回転子６８の内面上の溝８０に配置され、これらの溝８０が装置の長手方向に延在して、第８の接続手段を形成する。さらに、長手方向の溝８０は傾斜した溝８２と協働し、これら傾斜した溝８２は長手方向の溝８０の遠位端に接する。この機能を以下に述べる。突起８４がさらに、薬剤送達部材ガード４６の外面上に配置される。これら突起８４は、以下に述べるように、回転子６８の溝８０および８２と協働するよう配置される。
【００４１】
装置は、以下のとおり機能するよう企図される。装置が使用者に渡される際、薬剤容器ホルダ１２の近位端が薬剤送達部材ガード４６の近位端から突出ている（図２）。これにより、薬剤送達部材１４を薬剤容器ホルダ１２の近位端に取付けることができる。この位置においては、薬剤容器ホルダ１２の近位端面５１が、薬剤送達部材ガード４６の円周レッジ４７に接しており、これにより、薬剤送達部材ガード４６の円周レッジ４７が遠位側に移動しないようロックされる（図９）。薬剤送達部材１６が取付けられた後の次のステップは混合するステップである。これは、ハウジング１０に対して混合シリンダ５０を回転させることによって実行される。これにより、薬剤容器ホルダ１２のねじ山３８がハウジングのねじ山４０と協働するので、薬剤容器ホルダ１２が遠位方向に移動する。薬剤容器ホルダを遠位側に移動させることにより、薬剤送達部材１４を薬剤送達部材ガード４６内に移動させる（図１０）。容器ホルダ１２上の突起４９は、容器ホルダと、これにより薬剤送達部材の近位端とが、ガード４６の近位端に対して一定の距離に達するまで、薬剤送達部材ガード４６の溝４８において摺動することとなる（図１１）。これによっても、ガードが解放されて、ばね部材５６の力に対抗して長手方向に移動することが可能となる。この位置においては、突起４９が溝４８の遠位端に接触することとなり、これにより、混合手順が完了するまで、ガード４６も遠位方向に動かされることとなる。
【００４２】
次のステップは、注射部位などの薬剤送達部位に装置の近位端を押当てるステップである。装置を押当てることにより、薬剤送達部材ガード４６が、薬剤送達部材ガードのばね駆動部材５６の力に対向して遠位方向に押されて装置に押込まれる。これにより、薬剤送達部材１６が露出される。容器ホルダ１２およびその薬剤送達部材１６がガードに対して遠位側に予め動かされた距離、すなわち溝４８の長さ、は、薬剤送達部材が注射針である場合に所望される設定された注入深さに対応する。
【００４３】
薬剤送達部材ガード４６を遠位側に移動させることにより、その突起８４を、傾斜した溝８２の側面に沿って摺動させ、これにより回転子６８を回転させる。装置が送達部位に十分に押当てられると、薬剤送達機構が起動され、１投与分の薬剤が薬剤送達部材を通じて送達される（図１２）。こうして、作動ボタン３６が押されると、１投与分を送達するために、ロック部材が駆動部材を解放する。しかしながら、自動的な投与送達機能の代わりに、完全に手動の投与量送達機能であってもよく、作動ボタンが直接プランジャロッドに作用し、これにより、作動ボタンが押されたときにプランジャロッドが近位方向に押込まれる。また、装置は、ある種の作動ロックおよび解放手段を備えていてもよく、この作動ロックおよび解放手段は、装置が使える状態になるまで、不用意に起動するのを避けるために、混合動作が完了するまで作動機構をロックしておくよう機能する。
【００４４】
１投与分の薬剤が送達されたとき、装置はその部位から引抜かれてよい。これにより、薬剤送達部材ガード４６が近位方向に再び押込まれ、これにより、突起８２が舌状部７８上を摺動して舌状部７８を通り過ぎるまで、その突起８４は、回転子６８の長手方向に向けられた溝８０に沿って摺動する。この後、薬剤送達部材ガード４６は薬剤送達部材をカバーしている。これにより、薬剤送達部材ガード４６が遠位方向に再び押込まれないようロックされることとなる。これは、その突起８４が舌状部７８の近位端面７９に接触するからであり、この接触により、薬剤送達部材が注射針である場合に、不用意に針が突刺さるのが防止される（図１３）。装置はここで廃棄されてもよい。
【００４５】
上に記載され図面に示される実施例は、単に本発明の非限定的な例としてみなされるべきであり、特許請求の範囲内で多くの態様で変更され得ることが理解されるべきである。
【図１】
0005721849.tif 000002
【図２】
0005721849.tif 000003
【図３】
0005721849.tif 000004
【図４】
0005721849.tif 000005
【図５】
0005721849.tif 000006
【図６】
0005721849.tif 000007
【図７】
0005721849.tif 000008
【図８】
0005721849.tif 000009
【図９】
0005721849.tif 000010
【図１０】
0005721849.tif 000011
【図１１】
0005721849.tif 000012
【図１２】
0005721849.tif 000013
【図１３】
0005721849.tif 000014